(57)【要約】      （修正有）【課題】安全に利用することができる移乗補助装置及びこれを含む自立援護システムを提供する。【解決手段】自立援護システム１は、居住空間に設置されたベッド２と、ベッド２の近傍に設置されたトイレ３と、ベッド２とトイレ３との間に位置する移乗補助装置４とを備える。移乗補助装置４は、利用者の身体を載せることができる支持部１０と、支持部１０の下面から延びる脚部と、脚部に設けられたキャスター部３０と、支持部１０の上面方向へ延びる把持部４０とを含み、脚部と床面とを連結する連結体を備える。把持部４０は、複数の棒体から構成され、支持部１０に交差する方向へ延びる縦棒体と、縦棒体に交差する横棒体とを含む。【選択図】図１
0003201239.tif 000002
【実用新案登録請求の範囲】
【請求項１】
利用者の身体を載せることができる支持部と、
前記支持部の下方へ延びる脚部と、
前記脚部に設けられたキャスター部と、
前記支持部の上方へ延びる把持部と、を含み、
前記脚部と床面とを連結する連結体を備えることを特徴とする移乗補助装置。
【請求項２】
ベッドと、前記ベッドの近傍に設置されたトイレと、前記ベッドと前記トイレとの間を移動可能な移乗補助装置と含む自立援護システムであって、
前記移乗補助装置は、利用者の身体を載せることができる支持部と、
前記支持部の下方へ延びる脚部と、
前記脚部に設けられたキャスター部と、
前記支持部の上方へ延びる把持部と、を含み、
前記脚部と床面とを連結する連結体を備えることを特徴とする自立援護システム。
【考案の詳細な説明】
【技術分野】
【０００１】
この考案は、高齢者や身体障害者等の被介護者の移乗動作を補助する装置に関し、より詳細には、例えばベッドからトイレに移乗する際の補助装置及びこれを含む自立援護システムに関する。
【背景技術】
【０００２】
従来、高齢者や身体障害者等の被介護者の移乗を補助する装置が知られている（特許文献１参照）。この装置は、被介護者の上半身を載せる天板と、膝を載せる底板と、底板に取付けられたキャスターとを含む。被介護者がこの装置に体重を預けることによって、少しの力で移動可能とすることができる。
【先行技術文献】
【特許文献】
【０００３】
【特許文献１】特開２０１４−０５４３０８号公報
【考案の概要】
【考案が解決しようとする課題】
【０００４】
しかしながら、従来の移乗補助装置は、移動を規制する手段が搭載されていないため、傾斜面や段差等により転倒等の事故につながる虞がある。また、底板に膝を載せるようにすると下半身が拘束され、脚が自由に使えなくなり、移乗補助装置が傾いた際に転倒を防ぐことができないという問題があった。
【０００５】
この考案では、安全に利用することができる移乗補助装置及びこれを含む自立援護システムを提供することを課題とする。
【課題を解決するための手段】
【０００６】
この考案は、第１の考案および第２の考案を含む。
第１の考案の移乗補助装置は、利用者の身体を載せることができる支持部と、前記支持部の下方へ延びる脚部と、前記脚部に設けられたキャスター部と、前記支持部の上方へ延びる把持部と、を含み、前記脚部と床面とを連結する連結体を備えることを特徴とする。
【０００７】
第２の考案の自立援護システムは、ベッドと、前記ベッドの近傍に設置されたトイレと、前記ベッドと前記トイレとの間を移動可能な移乗補助装置と含む自立援護システムであって、前記移乗補助装置は、利用者の身体を載せることができる支持部と、前記支持部の下方へ延びる脚部と、前記脚部に設けられたキャスター部と、前記支持部の上方へ延びる把持部と、を含み、前記脚部と床面とを連結する連結体を備えることを特徴とする。
【考案の効果】
【０００８】
この考案の移乗補助装置によれば、床面に連結された連結体によって装置全体の移動が規制されるので、予期しない段差や傾斜での転倒を予防することができ、安全性を確保することができる。
【図面の簡単な説明】
【０００９】
【図１】この考案の移乗補助装置を用いた自立援護システムの一実施形態を示した図。
【図２】移乗補助装置の斜視図。
【考案を実施するための形態】
【００１０】
図１を参照すれば、高齢者や身体障害者等の被介護者の自立援護システム１は、居住空間に設置されたベッド２と、ベッド２の近傍に設置されたトイレ３と、ベッド２とトイレ３との間に位置する移乗補助装置４とを備える。移乗補助装置４は、主にベッド２およびトイレ３間の移乗を目的として用いることができる。この自立援護システム１のようにベッド２の近傍にトイレ３を配置することによって、被介護者でも比較的容易にトイレ３に行くことができる。
【００１１】
図２を参照すれば、移乗補助装置４は、利用者の身体を載せることができる支持部１０と、支持部１０の下面１２から図面上下方向の下方へ延びる脚部２０と、脚部２０に設けられたキャスター部３０と、支持部１０の図面上下方向の上方へ延びる把持部４０とを含み、脚部２０と床面とを連結する連結体５０を備える。支持部１０は、その上面１１がクッション材で構成されるとともに、被介護者等の利用者が肘から手首までの前腕を安定して載せることができる大きさとしている。
【００１２】
支持部１０の後側１４から把持部４０が突出する。把持部４０は、複数の棒体から構成され、支持部１０に交差する方向へ延びる縦棒体４１と、縦棒体４１に交差する横棒体４２とを含む。この実施形態において、一対の縦棒体４１と、これらの間に延びるとともに縦方向へ離間して配置される二本の横棒体４２とを備える。縦棒体４１は支持部１０の外側に離れる方向へ傾斜する傾斜部４３を備えることが望ましい。
【００１３】
利用者は、支持部１０の把持部４０が設けられた後側１４に対向する前側１３に腹部を当接させるようにして、前腕を介して上半身を支持部１０の上に載せる。このように支持部１０に前腕を載せたときに、利用者は把持部４０を両手で掴むことができ、安定した状態を維持することができるので、転倒を抑制することができる。また、把持部４０を両手で掴むことによって、前腕に力を入れやすく、前腕で体を押し上げるようにして腰を浮かせることができる。このように腰を浮かせることによって、ベッド２またはトイレ３から容易に離席することが可能となる。また、腰を浮かせるようにすることで、移乗補助装置４を用いた移動も楽にすることができる。
【００１４】
把持部４０において、縦棒体４１および横棒体４２を複数設けることによって、利用者が動作に応じて種々の場所を握ることができる。例えば、移乗補助装置４に乗り移る際には、傾斜部４３を握り、体に引き付けるようにすることによって、容易に移乗することができる。傾斜部４３を設けることによって、把持部４０全体を利用者から遠ざけることができ、利用者の頭部が把持部４０にぶつかるのを予防することができる。
【００１５】
上記のような移乗補助装置４にはキャスター部３０を備えるから、容易に移動することができる。利用者はその上半身のみを支持部１０で支持し、足は常に床に付くようにすることができる。足を床に付けておくことによって、移動および旋回ができるとともに、移動スピードを制御し、停止することもできる。また、利用者は、脚部２０の両側に離れて位置するように両脚を開いて移乗補助装置４を利用することができるから、移動がより容易になる。さらに、脚の踏ん張りがきくので、転倒を抑制することもできる。
【００１６】
支持部１０の下面１２には連結体５０が取り付けられる。連結体５０は、鎖等の紐状部５１と、紐状部５１を床等に固定するための固定部５２とを備える。紐状部５１の一端が脚部２０に固定され（図示せず）、他端が固定部５２を介して床等に固定される。固定部５２は、例えばネジやクギなどを用いて床等に直接固定される。この実施形態において、固定部５２はベッド２とトイレ３との中間に配置される。また、紐状部５１の長さは、ベッド２とトイレ３との間を往復できる程度にしている。このような連結体５０を備えることによって、移乗補助装置４の移動を規制することができる。したがって、移乗補助装置４が予期しない場所に移動して段差や傾斜での転倒を予防することができる。また、利用中や利用前後に移乗補助装置４が倒れてしまった場合でも、これが遠方へ行くことがないので、容易に再び起こして使用することができる。
【００１７】
紐状部５１の長さは、被介護者の運動能力により調整することができる。例えば、移乗補助装置４がほとんど移動しない程度に短くしてもよい。このような長さにすることによって、移乗補助装置４の転倒を防止することができる。すなわち、移乗補助装置４が傾いた場合でも、複数のキャスター部３０と紐状部５１とによって、傾きが一定範囲内に規制され、物理的に移乗補助装置４が転倒しないようにすることができる。このような移乗補助装置４は、水平方向への移動はほとんどできないが、旋回はできる。ベッド２とトイレ３との離間距離が短ければ、移乗補助装置４の旋回だけで移乗が可能である。
【００１８】
上記のような自立援護システム１によれば、ベッド２に横になっていた利用者は、ベッド２の縁に腰掛け、移乗補助装置４の前側１３から支持部１０に両前腕を載せるとともに、支持部１０に上半身を覆い被せるように体重をかける。このように支持部１０にほぼ全体重をかけることによって、下半身への負荷を大幅に軽減することによって、足腰が弱っているような場合でも、ベッド２から降りることができる。利用者は、両前腕を支持部１０に載せたまま、回転移動し、トイレ３へ移動することができる。この時、上半身を安定させるために両手で把持部４０を握ることが好ましい。同様に、利用者はトイレ３からベッド２へ移動することもできる。
【００１９】
この実施形態では、ベッド２からトイレ３への移乗動作について説明しているが、ベッド２および車椅子間の移乗、トイレ３および車椅子間の移乗の際にも用いることができる。
【００２０】
支持部１０の上面１１にクッション材を設けて、利用者が前腕を載せて体重がかかった場合でも痛くないようにしている。また、脚部２０を昇降可能として、支持部１０の高さ調節ができるようにしてもよい。キャスター部３０の数は任意で変更可能である。連結体５０の固定部５２は直接床等に固定することもできるが、別途土台を設け、土台に固定部５２を固定して、これを床の上に置くようにすることもできる。土台を設けることで、床に穴などをあけなくても移乗補助装置４を設置することができる。その他、自立援護システム１に用いられる各構成要素は、この技術分野において知られる通常のものを用いることができる。
【符号の説明】
【００２１】
１    自立援護システム
２    ベッド
３    トイレ
４    移乗補助装置
１０    支持部
１１    上面
１２    下面
２０    脚部
３０    キャスター部
４０    把持部
５０    連結体
【図１】
0003201239.tif 000003
【図２】
0003201239.tif 000004